(57)【特許請求の範囲】
【請求項１】
桁等の横架材に架け渡されて当該横架材に止着される垂木の止めつけ方法であって、
前記横架材に架け渡される垂木の上面に対する第一添装部と、当該垂木の側面に対する第二添装部とを備えるシート材又はプレート材からなる添装体が、前記垂木を前記横架材の垂木欠きに乗せつけると共に、前記添装体における第一添装部を前記垂木の上面に、前記第二添装部を前記垂木の側面に添わせた状態で該第二添装部の下部側にあって前記横架材の上面に接する指標部を備えており、
しかも、前記第一添装部に、前記指標部を前記横架材上面の前記垂木欠きの欠き溝壁上縁の水上側端又は水下側端に位置づけた際に、前記垂木に該垂木上面に対して垂直にねじ入れられる木ねじが前記垂木欠きの欠き溝底面のほぼ中央を通って前記横架材にねじ入れ得るねじ込み表示部が設けてあり、
前記横架材の垂木欠きに乗せかけられた垂木の上面に前記第一添装部を、該垂木の側面に前記第二添装部を添わせ、かつ、前記指標部を前記欠き溝壁上縁の水上側端又は水下側端の前記横架材上面に位置づけると共に前記ねじ込み表示部から木ねじを前記垂木を貫通して前記横架材にねじ入れて、該添装体と共に該垂木を前記横架材に止着することを特徴とする垂木の止めつけ方法。
【請求項２】
前記添装体が表示線を備えており、この表示線で折り曲げて第一添装部及び第二添装部になし得るようにしてあることを特徴とする請求項１に記載の垂木の止めつけ方法。
【請求項３】
前記添装体が折り線を備えており、この折り線で折り曲げて第一添装部及び第二添装部になし得るようにしてあることを特徴とする請求項１に記載の垂木の止めつけ方法。
【請求項４】
前記添装体が屈曲縁で屈曲された第一添装部及び第二添装部を一体に備えていることを特徴とする請求項１に記載の垂木の止めつけ方法。
【発明の詳細な説明】
【技術分野】
【０００１】
この発明は、垂木を桁、母屋、棟木等の、いわゆる小屋組の横架材に止めつける垂木の止めつけ方法の提案に関するものであり、より具体的には、垂木の止めつけ状態を当該垂木の止めつけ下方から容易に視認でき、しかも、屋根施工に伴う野地板の張り込み後においても、桁等の横架材に垂木を止着したか、否かを確実に確認しうるようにした垂木の止めつけ方法の提案に関する。
【背景技術】
【０００２】
建物の小屋組において、垂木を桁、母屋、棟木等の横架材に止めつけ、屋根に生ずる各種荷重を受けると共に、台風や竜巻等の風の煽りによって、屋根の捲れだし等を生ずることの無いように、各垂木を、桁、母屋、棟木等の横架材に対して確実に止めつけておく必要があった。
【０００３】
かかる点から、上部側と下部側とで、ほぼ、９０度捻ることで、下部側を桁等の横架材の側面に平行に、上部側を垂木の側面に平行としたひねり金物１００を用意し、当該ひねり金物１００を用いて、図１８及び図１９に示されるように桁、母屋、棟木等の横架材１１１に対して垂木１１０を止めつけ、この止めつけ垂木１１０上に野地板の張り込み施工等の各種処理を施すことで建物の屋根部を構成するようにしたものがあった。
【０００４】
この図示例に係る金物は、上部片１００ａと下部片１００ｂとが、ほぼ直角をなすように一連に連続して備えられたひねり金物１００（ハリケーンタイ等と称されている。）としてあって、この、ひねり金物１００の上部片１００ａを垂木１１０の側面に、下部片１００ｂを桁、母屋、棟木等の横架材１１１の側面に密着させた状態で、当該上部片１００ａと下部片１００ｂとに設けた孔１０１から釘やビス等の止め具１０２を当該垂木１１０、横架材１１１に打ち込み、又は、ねじ入れて、垂木１１０を横架材１１１に組み付けるようにしたものである。
【０００５】
かかるひねり金物１００は、屋根上において、桁、母屋、棟木等の横架材１１１や垂木１１０に対して、その側方から釘打ちや木ねじのねじ入れ等をなす必要があり、無理な作業姿勢で垂木１１０の止めつけをなす必要があった。また、横架材１１１に組み付けられる各垂木１１０、１１０間に構成される空間内で当該作業をなす必要があることから、作業工具等の取り扱いにも各種の制約を生ずることが多く、特に、並び組み付けられる垂木１１０の納め側において、垂木１１０、１１０間の間隔が極端に狭くなるケースがあり、各種作業工具等を用いた止めつけが難かしく、垂木１１０の組み付けに多くの作業手間を要する不具合があった。
【０００６】
また、かかるひねり金物１００は、金物コストが比較的割高であり、前記作業手間と共に、垂木１１０の取り付け施工コストを高める要因とされていた。
【０００７】
かかる点から、垂木１１０を桁等の横架材１１１に対して、長い木ねじを用いて止めつける垂木の組み付けが試みられている（例えば、特許文献１）。
【先行技術文献】
【特許文献】
【０００８】
【特許文献１】特開２００７−３２７５４０号公報
【発明の概要】
【発明が解決しようとする課題】
【０００９】
しかしながら、桁、母屋、棟木等の横架材に対して垂木を木ねじで直接止めつける手法にあっては、当該止めつけ垂木の止めつけ状態は、止めつけ施工のなされた屋根上において確認をする必要があると共に、施工垂木上に野地板等を施工した後にあっては、当該垂木の止めつけ状態の確認が不可能となることから、垂木の止めつけ施工の確認作業は、必ず、当該野地板施工等に入る前に完了しておく必要があり、垂木の止めつけ施工確認の作業スケジュール管理が難しくなる不具合があった。
【００１０】
また、桁等の横架材に架け渡された垂木を、当該垂木を乗せかけている垂木欠きのほぼ中央部を通るように各横架材に確実にねじ込み止めつけることは、難しく、多数の垂木を、各横架材に対する乗せかけ位置毎に、むら無く、均一に、当該横架材にねじ込み止めつけるには、熟練者が多くの作業手間をかけて行う必要があった。
【００１１】
かかる点から、桁等の横架材に対して、垂木を確実かつ容易に取り付け得ると共に、屋根上のみならず、軒下等の下側からも当該垂木の横架材に対する取り付け状況の確認を可能として、垂木の止めつけ状況の確認管理を容易なものとし、かつ、野地板等の施工後においても当該垂木の取り付け施工状態の確認をすることができる垂木の止めつけ方法の提案が求められていた。
【課題を解決するための手段】
【００１２】
かかる課題を解決するために、この発明にあっては、
桁等の横架材に架け渡されて当該横架材に止着される垂木の止めつけ方法であって、
前記横架材に架け渡される垂木の上面に対する第一添装部と、当該垂木の側面に対する第二添装部とを備えるシート材又はプレート材からなる添装体が、前記垂木を前記横架材の垂木欠きに乗せつけると共に、前記添装体における第一添装部を前記垂木の上面に、前記第二添装部を前記垂木の側面に添わせた状態で該第二添装部の下部側にあって前記横架材の上面に接する指標部を備えており、
しかも、前記第一添装部に、前記指標部を前記横架材上面の前記垂木欠きの欠き溝壁上縁の水上側端又は水下側端に位置づけた際に、前記垂木に該垂木上面に対して垂直にねじ入れられる木ねじが前記垂木欠きの欠き溝底面のほぼ中央を通って前記横架材にねじ入れ得るねじ込み表示部が設けてあり、
前記横架材の垂木欠きに乗せかけられた垂木の上面に前記第一添装部を、該垂木の側面に前記第二添装部を添わせ、かつ、前記指標部を前記欠き溝壁上縁の水上側端又は水下側端の前記横架材上面に位置づけると共に前記ねじ込み表示部から木ねじを前記垂木を貫通して前記横架材にねじ入れて、該添装体と共に該垂木を前記横架材に止着することを特徴とする垂木の止めつけ方法としてある。
【００１３】
このように構成される垂木の止めつけ方法では、前記添装体における第一添装部を前記垂木の上面に、該第二添装部を前記垂木の側面に添装すると共に、該第二添装部の下部側に備えられている指標部を、横架材上面の垂木欠きの欠き溝壁上縁の水上側端又は水下側端に位置づけ、この位置づけに対応して備えられているねじ込み表示部から、垂木欠きの欠き溝底面のほぼ中央を通るようにねじ込まれる木ねじで当該垂木を前記横架材に確実に止着でき、ひねり金物による垂木の取り付けに伴う不具合を解消し、短時間で、かつ少ない労力で垂木を横架材に止着することができる。
【００１４】
また、このように、前記添装体における第一添装部を前記垂木の上面に、該第二添装部を前記垂木の側面に添装すると共に、該第二添装部の下部側に備えられている指標部を、横架材上面の垂木欠きの欠き溝壁上縁の水上側端又は水下側端に位置づけ、この位置づけに対応して備えられているねじ込み表示部から、前記垂木を貫通して前記横架材に木ねじをねじ入れて、該添装体と共に該垂木を前記横架材に止着してあることから、当該垂木を木ねじで桁等の横架材に止着したか否かを一目瞭然に視認できると共に、屋根上だけでなく、第二添装部を下方から視認することで、当該垂木の木ねじによる止着状態を確認することが可能とされ、簡易な垂木の止めつけ確認を可能とし、また、野地板等の施工に関係無く、垂木の止めつけ状況の確認ができることから、各施工管理スケジュールの設定を容易とすることができる。
【００１５】
また、前記課題を解決するために、前記添装体が表示線を備えており、この表示線で折り曲げて第一添装部及び第二添装部になし得るようにしてあることを特徴とする垂木の止めつけ方法にあっては、安価に、かつ簡易に構成、提供でき、また、携帯に都合の良い添装体を用いて垂木を桁等の横架材に確実に止着することができ、当該止着状態を屋根上からだけでなく、下方からも容易に視認することができる。
【００１６】
また、前記課題を解決するために、前記添装体が折り線を備えており、この折り線で折り曲げて第一添装部及び第二添装部になし得るようにしてあることを特徴とする垂木の止めつけ方法にあっては、携帯し易く、しかも、現場で折り付け用い易く、かつ、比較的、安価な添装体を用いて垂木を桁等の横架材に確実に止着することができ、しかも、当該止着状態を屋根上からだけでなく、下方からも容易に視認することができる。
【００１７】
また、前記課題を解決するために、前記添装体が屈曲縁で屈曲された第一添装部及び第二添装部を一体に備えていることを特徴とする垂木の止めつけ方法にあっては、簡易に添装できて、手際よく、円滑かつ確実に、垂木を桁等の横架材に止着することができ、しかも、当該止着状態を屋根上からだけでなく、下方からも容易に視認することができる。
【発明の効果】
【００１８】
この発明に係る垂木の止めつけ方法は、桁等の横架材に対して、垂木を確実かつ容易に止めつけ得ると共に、当該横架材に対する垂木の止めつけ状態を屋根上からも下方からも容易に視認可能とし、さらに、垂木の止めつけ状態の確認を野地板施工等の後においても確実になし得るようにして、施工状態の確認管理スケジュールを組み易くし、施工工程の管理を容易にすることができる。
【図面の簡単な説明】
【００１９】
【図１】図１は、典型的な添装体１０と木ねじ４０とを並べ置いて上方から見て示している。
【図２】図２は、同添装体１０を用いて垂木２０を木ねじ４０で横架材３０に止めつけた状態、及び、垂木２０を乗せかけてない横架材３０の要部を斜め上方から見て示している。
【図３】図３は、同添装体１０を用いて垂木２０を木ねじ４０で横架材３０に止めつけた状態の要部を断面して側方から見て示している。
【図４】図４は、同添装体１０を用いて垂木２０を木ねじ４０で横架材３０に止めつけた他の状態の要部を断面して側方から見て示している。
【図５】図５は、垂木２０の止めつけの典型的な一例を示すものであって、添装体１０を用いて木ねじ４０で垂木２０を横架材３０に止めつけている状態の建物の要部を斜め上方から見て示している。
【図６】図６は、同添装体１０を用いて横架材３０としての桁３０ａに垂木２０を木ねじ４０で止めつけている状態の要部を斜め上方から見て示している。
【図７】図７は、同添装体１０を用いて横架材３０としての桁３０ａに垂木２０を木ねじ４０で止めつけた状態の要部を断面して側方から見て示している。
【図８】図８は、同添装体１０を用いて横架材３０としての桁３０ａに垂木２０を木ねじ４０で止めつけた状態の要部を下方から仰ぎ見て示している。
【図９】図９は、同添装体１０を用いて横架材３０としての母屋３０ｂに垂木２０を木ねじ４０で止めつけた状態の要部を斜め上方から見て示している。
【図１０】図１０は、同添装体１０を用いて横架材３０としての母屋３０ｂに垂木２０を木ねじ４０で止めつけた状態の要部を断面して側方から見て示している。
【図１１】図１１は、同添装体１０を用いて横架材３０としての棟木３０ｃに垂木２０を木ねじ４０で止めつけた状態の要部を斜め上方から見て示している。
【図１２】図１２は、同添装体１０を用いて横架材３０としての棟木３０ｃに垂木２０を木ねじ４０で止めつけた状態の要部を断面して側方から見て示している。
【図１３】図１３は、他の典型的な添装体１０と木ねじ４０とを斜め上方から見て示している。
【図１４】図１４は、同添装体１０を用いて垂木２０を木ねじ４０で横架材３０に止めつけた状態の建物の要部を斜め上方から見て示している。
【図１５】図１５は、同添装体１０を用いて垂木２０を木ねじ４０で横架材３０に止めつけた状態の要部を断面して示している。
【図１６】図１６は、更に他の典型的な添装体１０を斜め上方から見て示している。
【図１７】図１７は、同添装体１０を用いて垂木２０を木ねじ４０で横架材３０に止めつけた状態の要部を断面して側方から見て示している。
【図１８】図１８は、従来例の垂木１１０の止めつけ例を示すものであって、いわゆるひねり金物１００を用いて垂木１１０を横架材１１１に止めつけている状態の建物の要部を斜め上方から見て示している。
【図１９】図１９は、この従来手法による垂木１１０の止めつけに用いられるひねり金物１００を斜め上方から見て示している。
【発明を実施するための形態】
【００２０】
この発明に係る典型的な垂木２０の止めつけ方法は、桁等の横架材３０に架け渡されて当該横架材３０に止着される垂木２０の止めつけ方法であって、
前記横架材３０に架け渡される垂木２０の上面２１に対する第一添装部１０ａと、当該垂木２０の側面２２に対する第二添装部１０ｂとを備えるシート材又はプレート材からなる添装体１０が、前記垂木２０を前記横架材３０の垂木欠き３３に乗せつけると共に、前記添装体１０における第一添装部１０ａを前記垂木２０の上面２１に、前記第二添装部１０ｂを前記垂木２０の側面２２に添わせた状態で該第二添装部１０ｂの下部側にあって前記横架材３０の上面３１に接する指標部１４を備えており、
しかも、前記第一添装部１０ａに、前記指標部１４を前記横架材上面３１の前記垂木欠き３３の欠き溝壁上縁３３ａの水上側端３３ａ’又は水下側端３３ａ”に位置づけた際に、前記垂木２０に該垂木上面２１に対して垂直にねじ入れられる木ねじ４０が前記垂木欠き３３の欠き溝底面３３ｂ’のほぼ中央を通って前記横架材３０にねじ入れ得るねじ込み表示部１５が設けてあり、
前記横架材３０の垂木欠き３３に乗せかけられた垂木２０の上面２１に前記第一添装部１０ａを、該垂木２０の側面２２に前記第二添装部１０ｂを添わせ、かつ、前記指標部１４を前記欠き溝壁上縁３３ａの水上側端３３ａ’又は水下側端３３ａ”の前記横架材上面３１に位置づけると共に前記ねじ込み表示部１５から木ねじ４０を前記垂木２０を貫通して前記横架材３０にねじ入れて、該添装体１０と共に該垂木２０を前記横架材３０に止着してなされる。
【００２１】
すなわち、桁等の横架材３０に架け渡されて当該横架材３０に止着される垂木２０の止めつけ方法であって、
前記横架材３０に架け渡される垂木２０の上面２１に対する第一添装部１０ａと、当該垂木２０の側面２２に対する第二添装部１０ｂとを一体に備えるシート材又はプレート材からなる添装体１０を用意し、
前記垂木２０を前記横架材３０の垂木欠き３３に乗せつけると伴に、前記添装体１０における第一添装部１０ａを前記垂木２０の上面２１に、該第二添装部１０ｂを前記垂木２０の側面２２に添装した状態で、
該第二添装部１０ｂの下部側にあって、前記横架材３０の上面３１に接する指標部１４を、当該横架材上面３１の該垂木欠き３３の欠き溝壁上縁３３ａの水上側端３３ａ’又は水下側端３３ａ”に位置づけた際に、この第一添装部１０ａに、前記垂木２０に該垂木上面２１に対して垂直、すなわち、垂木上面２１に直交する向きにねじ入れられる木ねじ４０が前記垂木欠き３３の欠き溝底面３３ｂ’のほぼ中央を通って前記横架材３０にねじ入れ得るねじ込み表示部１５が設けてあり、
前記横架材３０の垂木欠き３３に乗せかけられた垂木２０の上面２１に前記第一添装部１０ａを、該垂木２０の側面２２に前記第二添装部１０ｂを添装させ、かつ、前記指標部１４を前記欠き溝壁上縁３３ａの水上側端３３ａ’又は水下側端３３ａ”の前記横架材上面３１に位置づけると共に、当該指標部１４の位置づけに対応する前記ねじ込み表示部１５から木ねじ４０を前記垂木２０を貫通して前記横架材３０にねじ入れて、該添装体１０と共に該垂木２０を前記横架材３０に止着してなされる。
【００２２】
なお、前記横架材３０に乗せかけられる垂木２０は、軒桁、母屋、棟木等の木製の横架材３０の上に架けわたされて野地板や構造用合板などを張って、屋根下地を構成する木製の矩形断面をなす角材であって、所定長さを備えており、前記横架材３０に接する長手向きにある下面２３と、当該下面２３と反対の側にあって該下面２３に平行な長手向きにある上面２１と、この上下面２１，２３間にある長手向きの側面２２とを備えている。なお、通例は、上面２１の幅、すなわち、垂木上面２１の長手向きに直交する幅寸法と下面２３の幅、すなわち、垂木下面２３の長手向きに直交する幅寸法とを同一としてあり、当該垂木２０の乗せかけられる横架材３０に備えられる垂木欠き３３の溝状部３３ｂの溝幅内に当該垂木２０が都合よく納まるように構成してある。
【００２３】
また、この垂木２０の乗せかけられる前記横架材３０に備えられる垂木欠き３３は、横架材３０の水下側（屋根勾配の勾配の下側）にある側面３２の上部から水上側（屋根勾配の勾配の上側）に向けて当該横架材３０の上面３１を割り欠いた溝状に設けてあり、溝状に構成される当該垂木欠き３３における溝状部３３ｂの両側の溝壁面３３ｂ”、３３ｂ”間の欠き溝底面３３ｂ’が水下側の側面３２の開口位置から各種の屋根勾配に合わせて垂木２０の下面２３が都合よく接する勾配となるように横架材３０の水上側に斜上するように設けてある。すなわち、所定勾配で垂木２０の乗せかけられる勾配の下側位置にある水下側で深く、勾配の上側位置にある水上側に向けて漸次浅くなる傾斜状の欠き溝底面３３ｂ’を備えた溝状部３３ｂとしてあって、この明細書において、溝壁上縁３３ａとは、この垂木欠き３３を構成する溝状部３３ｂの両側の溝壁面３３ｂ”における当該溝状部３３ｂの深さ方向の上縁を称している。なお、この垂木欠き３３の溝状部３３ｂは、桁等の横架材３０における上面３１の幅、すなわち、当該上面３１の長手方向に直交する向きの幅寸法以内に設けてあっても、当該幅の全幅にわたって設けてあってもよい。
【００２４】
また、ここで用いられる添装体１０は、シート材又はプレート材によって構成してあり、前記垂木２０の上面２１に対する第一添装部１０ａと、当該垂木２０の側面２２に添装される第二添装部１０ｂを備えたものであって、当該第一添装部１０ａに木ねじ４０のねじ込み表示部１５を備え得ると共に、第二添装部１０ｂを視認可能な構成としてあれば、いかなる形態に構成してあってもよく、例えば、前記垂木２０に折り付け添装し得るように、一枚の平状体１０’として構成してあっても、当該垂木２０に乗せかけ又は跨るように添装される屈曲状体１０”として構成してあってもよい。
【００２５】
また、かかる添装体１０は、添装対象とされる垂木２０の添装対象面に対して添わせるように添装用い得るものであれば添装対象とされる垂木２０の添装対象面に対して単に添わせるようにして用いるようにしてあっても、また、添装対象とされる垂木２０の添装対象面に対して添わせるように乗せかけ状態にして用いるようにしてあっても、また、添装対象とされる垂木２０の添装対象面に対して接着、粘着等の適宜の手段を用いて添わせるように用いるようにしてあってもよい。
【００２６】
かかる添装体１０は、適宜の紙材、プレスチック材、各種金属材や、これらの複合材等、いかなる素材によって構成してあってもよく、垂木２０の稜線に沿って折り付け用いる場合等にあっては、当該稜線を目視できる素材、例えば、透明や半透明の着色プラスチックシート等で構成してあってもよい。
【００２７】
また、当該添装体１０を、垂木２０に対する木ねじ４０の過剰なねじ込みを防ぐなど比較的硬さを備える素材で構成するようにしてあっても、当該添装体１０を、台風や竜巻等の強風によって屋根部分にもたらされる捲れだし向きの力による木ねじ頭部の垂木２０の肉部内への没入を防ぎ、かかる台風等による付加荷重の解消時に木ねじ頭部の下方に空隙の生ずる不具合を避け得るなどの目的から、かかる荷重に耐え得る剛性を備える素材で構成する等、各種の目的にも対応しうる素材を用いて構成するようにしてあってもよい。
【００２８】
かかる典型的な添装体１０として、当該添装体１０を一枚のシート材又はプレート材で構成し、表側面に適宜の手段で表示線１１を設け、この表示線１１を目印にして、当該添装体１０の第一添装部１０ａを垂木２０の上面２１に、第二添装部１０ｂを垂木２０の側面２２に添装させるようにして用いることができる。なお、この場合、添装体１０を透明素材や半透明素材で構成することで、垂木２０の上面２１と側面２２との稜線に前記表示線１１を合わせ易くするように構成してあってもよく、例えば、透けて見える着色プレスチックシートやプラスチックプレート等で構成することもできる。
【００２９】
かかる構成からなる添装体１０による垂木２０の止めつけ方法にあっては、安価に、かつ簡易に構成、提供でき、また、携帯に都合の良い添装体１０を用いて垂木２０を桁等の横架材３０に止着し、かつ、その止着状態を上方からはもとより、下方からも確実に確認することができる。
【００３０】
また、かかる典型的な添装体１０として、当該添装体１０を一枚のシート材又はプレート材で構成し、ミシン目や、型押しによる薄肉ヒンジ状の折り線癖等の折り線１２を設け、この折り線１２で折り曲げることで垂木２０の上面２１に第一添装部１０ａを、垂木２０の側面２２に第二添装部１０ｂを添装させるようにして用いることができる。
【００３１】
かかる構成からなる添装体１０による垂木２０の止めつけ方法にあっては、携帯し易く、しかも、現場で折り付け用い易く、かつ、比較的、安価な添装体１０を用いて垂木２０を桁等の横架材３０に確実に止着できると共に、当該止着状態を上方からはもとより、下方からも確実に確認することができる。
【００３２】
また、典型的な添装体１０として、当該添装体１０を屈曲縁１３で屈曲された第一添装部１０ａ及び第二添装部１０ｂを一体に備えた構成とし、この添装体１０における第一添装部１０ａを垂木２０の上面２１に、第二添装部１０ｂを当該垂木２０の側面２２に添装させるようにして用いることができる。
【００３３】
かかる構成からなる添装体１０による垂木２０の止めつけ方法にあっては、簡易に添装できて、手際よく、円滑かつ確実に、垂木２０を桁等の横架材３０に確実に止着することができると共に、当該止着状態を上方からはもとより、下方からでも確実に確認することができる。
【００３４】
また、前記指標部１４を備える添装体１０は、前記垂木２０の上面２１に対する第一添装部１０ａと、当該垂木２０の側面２２に添装される第二添装部１０ｂを備え、当該第一添装部１０ａが木ねじ４０のねじ込み表示部１５を備え得ると共に、第二添装部１０ｂが視認可能に構成してあり、当該添装体１０の第一添装部１０ａを前記垂木２０の上面２１に、該第二添装部１０ｂを前記垂木２０の側面２２に添装した状態で、該第二添装部１０ｂの下部側にあって、前記横架材３０の上面３１に接する指標部１４を、当該横架材上面３１の該垂木欠き３３の欠き溝壁上縁３３ａの水上側端３３ａ’又は水下側端３３ａ”に位置づけ得るものであれば、いかなる形態に構成してあってもよく、当該指標部１４を第二添装部１０ｂの最も下方に突きだしている突き出し片部として構成してあっても、第二添装部１０ｂの下部側にあって、横架材上面３１の垂木欠き３３の欠き溝壁上縁３３ａの水上側端３３ａ’又は水下側端３３ａ”に位置づけ得る突片として当該指標部１４を構成してあっても、また、第二添装部１０ｂの下部側にあって、横架材上面３１の垂木欠き３３の欠き溝壁上縁３３ａの水上側端３３ａ’又は水下側端３３ａ”に位置づけ得る表示線１１として当該指標部１４を構成する等、いかなる態様に設けてあってもよい。
【００３５】
また、前記第一添装体１０に備えられる木ねじ４０のねじ込み位置を示す表示部１５は、添装体１０における第一添装部１０ａを前記垂木２０の上面２１に、該第二添装部１０ｂを前記垂木２０の側面２２に添装した状態で、該第二添装部１０ｂの下部側にあって、前記横架材３０の上面３１に接する指標部１４を、当該横架材上面３１の該垂木欠き３３の欠き溝壁上縁３３ａの水上側端３３ａ’又は水下側端３３ａ”に位置づけた際に、この第一添装部１０ａに、前記垂木２０に該垂木上面２１に対して垂直にねじ入れられる木ねじ４０が前記垂木欠き３３の欠き溝底面３３ｂ’のほぼ中央を通って前記横架材３０にねじ入れ得る位置を示すように設けてあれば、いかなる形態に設けてあってもよい。
【００３６】
かかる垂木２０の上面２１に対して垂直、すなわち、当該垂木上面２１に直交する向きにねじ入れる木ねじ４０を、当該垂木２０の乗せかけられる横架材３０の垂木欠き３３の欠き溝底面３３ｂ’のほぼ中央を通って該横架材３０にねじ入れ得るねじ込み位置を示す表示部１５は、当該垂木２０の乗せかけられる垂木欠き３３の欠き溝底面３３ｂ’の勾配と、添装体１０における第一添装部１０ａを前記垂木２０の上面２１に、該第二添装部１０ｂを前記垂木２０の側面２２に添装した状態で、該第二添装部１０ｂの下部側にあって、前記横架材３０の上面３１に接する指標部１４を、当該横架材上面３１の該垂木欠き３３の欠き溝壁上縁３３ａの水上側端３３ａ’に位置づけた際と、水下側端３３ａ”に位置づけた際とで、自ずと位置決めされて、当該表示部１５から垂木２０の上面２１に対して垂直、すなわち、当該垂木２０の上面２１に直交する向きに木ねじ４０をねじ込むことで、垂木２０を横架材３０に確実に止着することができる。
【００３７】
かかる木ねじ４０のねじ込み位置を示す表示部１５は、当該表示部１５からねじ込まれる木ねじ４０が横架材３０における垂木欠き３３の欠き溝底面３３ｂ’の中央のみを通って当該横架材３０にねじ込まれる必要はなく、当該欠き溝底面３３ｂ’のほぼ中央を通って横架材３０にねじ込まれ得るものであればよく、前記木ねじ４０のねじ込み表示部１５を所定の広さを備える面状の表示部１５として構成してあってもよい。
【００３８】
また、かかる添装体１０は、例えば、垂木２０の乗せかけられる横架材３０の側に、各屋根勾配に対応する垂木欠き３３を構成する溝状部３３ｂの最大溝深さを同一にした各種の勾配に対応した垂木欠き３３を設けてある場合、同一の添装体１０に各勾配に対応したそれぞれの木ねじ４０のねじ込み表示部１５を設け、一種類の添装体１０を用いて、各種屋根勾配の垂木２０を確実に横架材３０に止着し、かつ、当該止着状態を上方からはもとより、下方からも、容易に視認し得るように構成することもできる。
【００３９】
また、垂木２０を桁等の横架材３０にねじ止めする木ねじ４０は、頭部４０ｂと軸部４０ａとを備えた構成としてあり、垂木２０から該垂木２０を貫通して横架材３０に十分にねじ入れ得る長さを備え、かつ、屋根にもたらされる各種荷重によって垂木２０がずれ出したり、台風や竜巻等の強風の煽りによって垂木２０が横架材３０から分離されることのない強度を備えるものであれば、いかなる態様の木ねじであってもよい。
【００４０】
かかる添装体１０を用いた垂木２０の横架材３０に対する止めつけは、桁３０ａ、母屋３０ｂ、棟木３０ｃ等の横架材３０に架け渡される垂木２０の止めつけ部の全てに前記の添装体１０を用いて当該垂木２０を横架材３０に止めつけるようにしてあっても、また、横架材３０に対する垂木２０の止めつけ部の一部分だけを前記添装体１０を用いて垂木２０を横架材３０に止めつけるようにしてあってもよい。すなわち、かかる添装体１０を用いた垂木２０の横架材３０に対する止めつけは、例えば、従来のひねり金物等の用い難い垂木２０の止めつけ部分である横架材３０としての桁３０ａに垂木２０を止めつける際にのみ用い、他の横架材３０に対する垂木２０の止めつけを従来のひねり金物で止めつけるようにしてあっても、また、安定した止めつけ状態の維持が特に要請される横架材３０としての桁３０ａと棟木３０ｃとに対する垂木２０の止めつけを、前記添装体１０を用いてなし、母屋３０ｂに対する垂木２０の止めつけを従来の止めつけ手法で止めつけるようにしてあってもよい。また、桁３０ａ、母屋３０ｂ、棟木３０ｃ等の横架材３０に垂木２０を架け渡して構成される小屋組の要所を前記添装体１０を用いた垂木２０の止めつけ方法で当該垂木２０を横架材３０に止めつけ、他の部分を従来手法で止めつけるようにしてあってもよい。さらにまた、桁３０ａ、母屋３０ｂ、棟木３０ｃ等の横架材３０に載せかけられる垂木２０の当該載せかけ部分の全てを前記添装体１０を用いた垂木２０の止めつけ方法で当該垂木２０と横架材３０とを止めつけるようにしてあってもよい。
【００４１】
まず、図１〜図５に示される典型的な垂木２０の止めつけ方法について説明する。ここで、横架材３０に木ねじ４０で止めつけられる垂木２０は、典型的には、小屋組を構成する桁３０ａ、母屋３０ｂ、棟木３０ｃに架け渡し止めつけられて屋根又は屋根の下地材を支える手段として用いられる。
【００４２】
この図示例に係る桁等の横架材３０に架け渡されて当該横架材３０に止着される垂木２０の止めつけ方法は、
前記横架材３０に架け渡される垂木２０の上面２１に対する第一添装部１０ａと、当該垂木２０の側面２２に対する第二添装部１０ｂとを一体に備えるシート材又はプレート材からなる添装体１０を用意し、
前記垂木２０を前記横架材３０の垂木欠き３３の欠き溝底面３３ｂ’に垂木２０の下面２３を密着させるように乗せつけると伴に、前記添装体１０における第一添装部１０ａを前記垂木２０の上面２１に、該第二添装部１０ｂを前記垂木２０の側面２２に添装した状態で、
該第二添装部１０ｂの下部側にあって、前記横架材３０の上面３１に接する指標部１４を、当該横架材上面３１の該垂木欠き３３の欠き溝壁上縁３３ａの水上側端３３ａ’又は水下側端３３ａ”に位置づけた際に、この第一添装部１０ａに、前記垂木２０に該垂木上面２１に対して垂直にねじ入れられる木ねじ４０が前記垂木欠き３３の欠き溝底面３３ｂ’のほぼ中央を通って前記横架材３０にねじ入れ得るねじ込み表示部１５が設けてあり、
前記横架材３０の垂木欠き３３に乗せかけられた垂木２０の上面２１に前記第一添装部１０ａを、該垂木２０の側面２２に前記第二添装部１０ｂを添装させ、かつ、前記指標部１４を前記欠き溝壁上縁３３ａの水上側端３３ａ’又は水下側端３３ａ”の前記横架材上面３１に位置づけると共に、当該指標部１４の位置づけに対応する前記ねじ込み表示部１５から木ねじ４０を前記垂木２０を貫通して前記横架材３０にねじ入れて、該添装体１０と共に該垂木２０を前記横架材３０に止着することで、当該第二添装部１０ｂを下方からも視認し得るように構成してある。
【００４３】
この図示例で用いられる添装体１０は、一枚のシート材又はプレート材で構成された等脚台形状としてあり、その上底ａの寸法が、添装対象とされる垂木２０の上面２１の横幅ｘ（垂木上面２１の長手向きに直交する向きの幅）と一致するように構成してある。この図示例に係る添装体１０では、上底ａと下底ｂとに直交する表示線１１，１１を、上底ａの各端点から下底ｂ間に設けてあり、この平行な上底ａと下底ｂにおける表示線１１、１１間の上底ａ及び下底ｂ’並びに平行な表示線１１、１１とで囲まれた第一添装部１０ａは矩形をなすように構成してある。なお、この図示例では、この表示線１１、１１に平行で、かつ、この各表示線１１、１１の中央を通るように予備表示線１１’が設けてあり、当該添装体１０の第一添装部１０ａを垂木２０の上面２１に添装して、この予備表示線１１’にそって木ねじ４０をねじ込むことで、当該垂木上面２１の幅方向の中央部分に木ねじ４０をねじ込む際の目安とすることができる。なお、この図示例では、厚手のコート紙を一例として用いた。
【００４４】
また、この等脚台形状をなす前記添装体１０は、前記第一添装部１０ａと、当該第一添装部１０ａの両側方に形成される一対の直角三角形状の第二添装部１０ｂとで、構成されており、この直角三角形状をなす第二添装部１０ｂにおける斜辺ｃと前記等脚台形状をなす添装体１０における下底ｂであって、前記第一添装部１０ａを構成する下底ｂ’部分を除いた下底ｂ”部分との交点がなす突端を指標部１４としてある。
【００４５】
この図示例では、横架材３０に設けられている垂木欠き３３の欠き溝底面３３ｂ’に垂木２０の下面２３を密着させるように乗せかけた垂木２０に対して前記等脚台形状をなす添装体１０における下底ｂ側を当該垂木２０の水下側に位置づけるようにして第一添装部１０ａを当該垂木２０の上面２１に添わせるように乗せ、かつ、第二添装部１０ｂを、当該垂木２０の側面２２に添わせるように折りつけた際に、前記指標部１４が、前記垂木欠き３３の欠き溝壁上縁３３ａにおける水下側端３３ａ”の横架材上面３１に接し得る構成としてあり、当該添装体１０を垂木２０を跨がせるように添装状態になすと共に、当該欠き溝壁上縁３３ａの水下側端３３ａ”に前記指標部１４を位置づけ、この状態で、この添装体１０に備えられる表示部１５から、木ねじ４０を当該垂木２０を貫通して横架材３０にねじ込むようにしてある。
【００４６】
この図示例に係る当該添装体１０の第一添装部１０ａに設けられる木ねじ４０のねじ込み表示部１５は、横架材３０の垂木欠き３３に乗せかけるように乗せた垂木２０に当該添装体１０を跨がせるように添装し、かつ、当該垂木欠き３３の欠き溝壁上縁３３ａにおける水下側端３３ａ”の横架材３０の上面３１に前記指標部１４を位置づけた状態で、前記垂木２０に該垂木上面２１に対して垂直にねじ込まれる木ねじ４０が前記垂木欠き３３の欠き溝底面３３ｂ’のほぼ中央を通って前記横架材３０にねじ入れ得る位置に設けてある。
【００４７】
この図示例にあっては、垂木欠き３３の溝状部３３ｂの溝深さを同じくした条件、すなわち、横架材３０における水下側の側面３２の上部から当該横架材３０の上面３１を欠き取るように当該上面３１にそって水上側に斜上するように構成される溝状部３３ｂの当該水下側の側面３２の開口位置での溝深さ（従って、溝長さの異なる溝状部３３ｂ）のもとで、典型的な二種類の勾配に対応した表示部１５が示してあり、例えば、三寸勾配、五寸勾配等の典型的な屋根勾配の構成に適合するように当該添装体１０を構成してあり、対象屋根勾配によって、その、いずれか、一方を本来の表示部１５として用い、他方は単なる予備表示部の表示としてある。
【００４８】
なお、この図示例にあっては、当該添装体１０の第一添装部１０ａに設けられる木ねじ４０のねじ込み表示部１５を、横架材３０の垂木欠き３３に乗せかけるように乗せた垂木２０に当該添装体１０を跨がせるように添装し、かつ、当該垂木欠き３３の溝壁上縁３３ａの水下側端３３ａ”の横架材３０の上面３１に前記指標部１４を位置づけた状態で、前記垂木２０に該垂木上面２１に対して垂直にねじ込まれる木ねじ４０が前記垂木欠き３３の欠き溝底面３３ｂ’のほぼ中央を通って前記横架材３０にねじ込まれる位置になるように設けてあり、しかも、当該添装体１０を二種類の屋根勾配の異なる垂木２０に前記態様で用いた際に、それぞれ木ねじ４０のねじ込み位置を示す二個の表示部１５を備えた構成としてあり、しかも、この図示例では、当該表示部１５を含むガイド線１６、１６を前記等脚台形状をなす添装体１０における上底ａ，下底ｂに平行に設けてあり、このガイド線１６、１６と、前記予備表示線１１’の交叉位置を典型的な表示部１５として用い得るようにしてある。
【００４９】
なお、ここに示される表示部１５は、あくまでも、木ねじ４０を垂木欠き３３の欠き溝底面３３ｂ’のほぼ中央を通るように垂木２０にねじ込むための目安であって、点や線として表示されていても、また、所定の区画として構成されていてもよく、この図示例にあっても、前記ガイド線１６と予備表示線１１’の交点を目安にして、この周辺から垂木２０に対して木ねじ４０を当該垂木２０を貫通して横架材３０にねじ込み、当該添装体１０と共に垂木２０を横架材３０に止着し得ればよく、前記交点を含む周辺部が表示部１５とされる。
【００５０】
また、ここで用いられる添装体１０は、当該添装体１０を用いる目的である木ねじ４０による止着状態の確認及び木ねじ４０による垂木２０の横架材３０に対する的確な止着の機能を満たすものであれば、いかなる形態に構成してあってもよく、この図示例では、垂木２０の所定位置に当該添装体１０を添装でき、表示部１５を目安にして木ねじ４０のねじ込みが可能であり、かつ、屋根上からは勿論、垂木２０の下方からも、垂木２０の側面２２に添わされる第二添装部１０ｂが視認可能とされておれば、当該添装体１０を垂木２０に押しつけながら木ねじ４０で垂木２０に止めつけるようにしてあっても、また、適宜の仮止め手段で当該添装体１０を垂木２０に止めつけておいて、木ねじ４０で止めつけるようにしてあっても、また、この添装体１０の添装面の全部又は一部を垂木２０に対して接着又は粘着させた状態で、この添装体１０を木ねじ４０で垂木２０に止めつけるようにしてあってもよい。
【００５１】
また、ここで用いられる添装体１０は、前記表示線１１を、ミシン目や型押し等による線状薄肉のヒンジ線や各種手段による折り癖線等の折り線１２として構成してあってもよい。
【００５２】
また、前記垂木欠き３３は、桁や母屋や棟木等の横架材３０に垂木２０を乗せかける際に、通常用いられる各種の手法で構成されておれば、いかなる垂木欠き３３であってもよい。
【００５３】
また、垂木２０を桁等の横架材３０に止着する木ねじ４０は、当該垂木２０の上面２１に対して垂直、すなわち、垂木２０の上面２１に直交する向きにねじ込まれ、この垂木２０を貫通して、垂木欠き３３の欠き溝底面３３ｂ’のほぼ中央を通って横架材３０にねじ込まれて、当該横架材３０に垂木２０を確実に止着し、屋根に負荷される荷重によって垂木２０がずれ出したり、台風や竜巻の強風等の煽りによって、垂木２０が浮き出すことのない木ねじ４０が用いられる。
【００５４】
図１では、垂木２０に用いる前に置ける典型的な添装体１０を、当該添装体１０によって位置決めねじ込まれる木ねじ４０と共に示しており、図２及び図３は、この添装体１０を用いて横架材３０の垂木欠き３３に乗せかけた垂木２０を当該横架材３０に木ねじ４０で止着した一態様を示している。
【００５５】
この図２及び図３に示される垂木２０の横架材３０に対する取り付けは、前記の表示線１１又は折り線１２を備えた平状体１０’の添装体１０を用いたもので、横架材３０に削設されている垂木欠き３３の欠き溝底面３３ｂ’に垂木２０の下面２３を密着させるように乗せかけ、この状態で、前記添装体１０を、該添装体１０における下底ｂを屋根勾配の水下側に位置づけるように第一添装部１０ａを当該垂木２０の上面２１に添わせ、前記表示線１１又は折り線１２を垂木２０の稜線に沿わせ、この表示線１１又は折り線１２で、第二添装部１０ｂが当該垂木２０の側面２２に添うように屈曲状態にし、ついで、この垂木２０の側面２２に添うように垂設されている直角三角形状をなす第二添装部１０ｂにおいて、最も、下方に突きだしている部分、この図示例にあっては、等脚台形状をなす添装体１０における下底ｂの各端点、すなわち、当該添装体１０の第一添装部１０ａの両側方に備えられる直角三角形状をなす第二添装部１０ｂの斜辺ｃと、該添装体１０の下底ｂにおける第一添装部１０ａの下底ｂ’を除いた第二添装部１０ｂの下底ｂ”とが交わる点を指標部１４とし、この指標部１４を垂木欠き３３の欠き溝壁上縁３３ａの水下端の横架材３０の上面３１に位置づけてなされる。
【００５６】
このように垂木２０に添装される添装体１０では、垂木２０の水下側に等脚台形状をなす添装体１０の下底ｂが位置するように、当該垂木２０の上面２１の長手向きの面に、添装体１０の第一添装部１０ａの下底ｂ’が直交し、かつ、第二添装部１０ｂにある当該下底ｂ”が当該垂木２０の側面２２の長手向きに直交するように添装される。
【００５７】
かかる垂木２０に乗せかけた添装体１０における指標部１４を前記垂木欠き３３の欠き溝壁上縁３３ａの水上側端３３ａ’の横架材３０の上面３１に位置づけた際に、当該垂木２０の上面２１に垂直、すなわち、当該垂木２０の上面２１に対して直交する向きに当該垂木２０にねじ込まれる木ねじ４０が、この垂木２０の乗せかけられている垂木欠き３３の欠き溝底面３３ｂ’のほぼ中央を通って横架材３０にねじ込まれる得る位置に表示部１５が設けてあり、前記態様で垂木２０を跨ぐように備えられた添装体１０の添装状態を維持しながら、この表示部１５から木ねじ４０を垂木２０を貫通して横架材３０にねじ込むようにねじ入れ、添装体１０と共に垂木２０を横架材３０に止着する。
【００５８】
かかる添装体１０に備えられる表示部１５は、横架材３０に備えられる垂木２０の屋根勾配に対応して備えられる欠き溝底面３３ｂ’の溝底の長さ寸法（溝状部３３ｂの傾斜する欠き溝底面３３ｂ’の傾斜水下側端と傾斜水上側端との間の寸法）の二分の一の寸法から、前記指標部１４を通る当該欠き溝底面３３ｂ’に垂直な線分ｈ（この図示例では、前記状態で垂木２０に添装されている添装体１０における下底ｂを通る仮想の面）と、当該欠き溝底面３３ｂ’の傾斜水下側端との間の寸法を差し引いた寸法の間隔を、前記添装体１０の下底ｂにおける第一添装部１０ａの下底ｂ’から上底ａの側に離した位置に設けてある。
【００５９】
この図示例にあっては、垂木欠き３３を構成する溝状部３３ｂの最大溝深さを同一にして、異なる屋根勾配に対応する垂木２０の乗せかけに適合する添装体１０として構成してあり、前記手法で割り出される各表示部１５を通るガイド線１６、１６を当該添装体１０における上底ａ及び下底ｂに平行に表示してある。また、前記表示線１１又は折り線１２と、当該上底ａ及び下底ｂとで矩形を構成するようにしてあり、この表示線１１又は折り線１２を当該垂木２０の上面２１と側面２２間の稜線に都合よく沿わせて、第二添装部１０ｂを当該垂木２０の側面２２に添装し得るように構成してある。
【００６０】
また、この図示例では、この表示線１１又は折り線１２に平行で、かつ、当該第一添装部１０ａの中央を通る予備表示線１１’が設けてあり、この予備平行線１１’と前記ガイド線１６、１６との交叉する点が、それぞれの屋根勾配に対応する主たる表示部１５とされており、この交差する点を目安にした所定範囲部分を木ねじ４０のねじ込みに都合のよい表示部１５として構成してある。
【００６１】
図２及び図３は、図示例の添装体１０における三寸勾配に対応する表示部１５ａを用いて、いわゆる、三寸勾配の垂木２０の取り付け例を示しており、図４では、同じ図示例の添装体１０における五寸勾配に対応する表示部１５ｂを用いて、いわゆる、五寸勾配の垂木２０の取り付け例を示している。
【００６２】
図５は、かかる添装体１０を用いて横架材３０に対して垂木２０を止着した一例を示しており、この止着された垂木２０に野地板５０を取り付けて、屋根施工をなした状態の要部を斜め上方から見て示している。
【００６３】
図６〜図８は、横架材３０の典型例である桁３０ａに垂木２０を前記添装体１０を用いて止着している状態を示すものであって、軒先における垂木２０の止めつけを上方からの作業のみで可能とし、手際よく、安全に、かつ、効率良く垂木２０の止めつけを可能とし、しかも、図８に示されるように下方から添装体１０の第二添装部１０ｂを随時に視認することができ、逐一、屋根に上がって、垂木２０の止めつけ状態を確認する必要がなく、垂木２０の止めつけ状態の確認を容易なものとし、しかも、野地板５０等の施工後においても、下方から、当該垂木２０の止めつけ状態を前記第二添装部１０ｂの視認によって確認することができる。
【００６４】
なお、この図６〜図８に示される図示例は、屋根勾配が三寸勾配である垂木２０の止着状態を示しており、前記添装体１０におけるガイド線１６と予備表示線１１’との交点から垂木２０に対して、当該垂木２０の上面２１に垂直に木ねじ４０をねじ入れ、当該木ねじ４０を該垂木２０を貫通させて桁３０ａにねじ込み、添装体１０と共に垂木２０を桁３０ａに止着した状態を示している。
【００６５】
図９及び図１０は、横架材３０の典型例である母屋３０ｂに垂木２０を前記添装体１０を用いて止着した状態を示すものであって、垂木２０の止めつけを上方からの作業のみで可能とし、手際よく、かつ、効率良く垂木２０の止めつけを可能とし、しかも、下方から添装体１０の第二添装部１０ｂを随時に視認することができ、逐一、屋根に上がって、垂木２０の止めつけ状態を確認する必要がなく、垂木２０の止めつけ状態の確認を容易なものとし、しかも、野地板５０等の施工後においても、下方から、当該垂木２０の止めつけ状態を前記第二添装部１０ｂの視認によって確認することができる。
【００６６】
なお、この図９及び図１０に示される図示例も、前記と同様に、屋根勾配が三寸勾配である垂木２０の止着状態を示しており、前記添装体１０におけるガイド線１６と予備表示線１１’との交点から垂木２０に対して、当該垂木２０の上面２１に垂直に木ねじ４０をねじ入れ、当該木ねじ４０を該垂木２０を貫通させて母屋３０ｂにねじ込み、添装体１０と共に垂木２０を母屋３０ｂに止着した状態を示している。
【００６７】
図１１及び図１２は、横架材３０の典型例である棟木３０ｃに対して、その両側方から垂木２０を前記添装体１０を用いて止着した状態を示すものであって、垂木２０の止めつけを上方からの作業のみで可能とし、手際よく、かつ、効率良く垂木２０の止めつけを可能とし、しかも、下方から添装体１０の第二添装部１０ｂを随時に視認することができ、逐一、屋根に上がって、垂木２０の止めつけ状態を確認する必要がなく、垂木２０の止めつけ状態の確認を容易なものとし、しかも、野地板５０等の施工後においても、下方から、当該垂木２０の止めつけ状態を前記第二添装部１０ｂの視認による確認によってなすことができる。
【００６８】
なお、この図１１及び図１２に示される図示例も、前記と同様に、屋根勾配が三寸勾配である垂木２０の止着状態を示しており、前記添装体１０におけるガイド線１６と予備表示線１１’との交点から垂木２０に対して、当該垂木２０の上面２１に垂直に木ねじ４０をねじ入れ、当該木ねじ４０を該垂木２０を貫通させて棟木３０ｃにねじ込み、添装体１０と共に垂木２０を棟木３０ｃに止着した状態を示している。
【００６９】
図１３〜図１５は、前記垂木２０に添装される添装体１０を、当該垂木２０を跨るようにして添装用いられる屈曲状体１０”に構成したものであって、前記平状体１０’として構成される添装体１０における表示線１１位置で屈曲した屈曲縁１３を備える屈曲状体１０”としたものである。
【００７０】
この図示例に係る添装体１０は、図１〜図１２において示された添装体１０と実質的に同一の構成からなる等脚台形状をなし、図１で木ねじ４０の下方に図示されている添装体１０における表示線１１又は折り線１２位置で、前もって屈曲し、この屈曲縁１３で第一添装部１０ａと第二添装部１０ｂとを屈曲状態に一体に備える屈曲状体１０”として構成すると共に、前記図１における予備表示線１１’の表示に代えてガイド線１６、１６と当該予備表示線１１’の交差する位置に孔１８を備える凹陥部１７を設け、木ねじ４０の軸部４０ａを該孔１８に挿通するように垂木２０から横架材３０にねじ入れ、かつ、該木ねじ４０の頭部４０ｂを該凹陥部１７内に納まるように構成した以外の構成を前記図１〜図１２に示される添装体１０と同一に構成してある。
【００７１】
従って、前記図１〜図１２において、表示線１１又は折り線１２で第一添装部１０ａを垂木２０の上面２１に、第二添装部１０ｂを垂木２０の側面２２に添装させるように折り曲げることなく、添装体１０の下底ｂを屋根勾配の水下側に位置するように当該添装体１０を構成する垂木２０の上面２１に第一添装部１０ａを、垂木２０の側面２２に第二添装部１０ｂを添わせるように乗せかけて、前記図１〜図１２における添装体１０と全く同一の手法で、横架材３０に対する垂木２０の止着に際して用いられ、同一の効果が得られる。
【００７２】
従って、前記添装体１０と同一又は実質的に同一の構成部分には、同一の番号を付して、その説明を省略する。
【００７３】
この図示例の添装体１０にあっても、前記図１〜図１２におけると同様に、横架材３０の垂木欠き３３に乗せかけられた垂木２０の上面２１と側面２２とのなす稜線に屈曲縁１３を沿わせるよう第一添装部１０ａを上面２１に、第二添装部１０ｂを側面２２に添わせるように当該添装体１０を、当該添装体１０における下底ｂを屋根勾配の水下側にして、当該添装体１０を構成する屈曲状体１０”を垂木２０に乗せかけ、添装体１０の指標部１４を、この図示例では、溝状部３３ｂとして構成される垂木欠き３３の欠き溝壁上縁３３ａの水下側端３３ａ”に位置づけ、この状態で、前記孔１８から木ねじ４０を垂木２０を貫通して横架材３０にねじ込むことで、当該垂木欠き３３の欠き溝底面３３ｂ’のほぼ中央を通って当該木ねじ４０のねじ込み、垂木２０を横架材３０に確実に止着する。
【００７４】
また、前記図１〜図１２におけると同様に、第二添装部１０ｂが垂木２０の側面２２に添わされており、垂木２０の横架材３０に対する止めつけ後に、この第二添装部１０ｂを下方から視認することで、各垂木２０の止着状態を確認することができる。
【００７５】
また、この図示例では、添装体１０を鋼板等の硬く、かつ、強度を備える素材で構成することによって、当該添装体１０を木ねじ４０の頭部４０ｂの受け手段として活用することができる。この結果、例えば、当該添装体１０によって、木ねじ４０の頭部４０ｂを受けて、木ねじ４０が必要以上にねじ込まれる不具合を回避する手段、屋根部に生ずる各種荷重による垂木２０のずれだしを防止する手段、台風や竜巻の強風で煽られる屋根部分において木ねじ４０の頭部４０ｂが垂木２０内に沈み込む不具合を回避する手段等として活用できるように当該添装体１０を構成することができる。
【００７６】
図１６及び図１７に示される添装体１０は、垂木２０に乗せかけた添装体１０における指標部１４を、垂木欠き３３の欠き溝壁上縁３３ａの水上側端３３ａ’に位置づけて用いるようにした以外の構成を、図１〜図１５に示される添装体１０と同様に構成してあり、同様にして用いることで、横架材３０の垂木欠き３３に乗せかけられた垂木２０の木ねじ４０による止着をなすことができる。
【００７７】
この図示例に用いられる添装体１０は、図１〜図１５に図示されている添装体１０と同様に等脚台形状をなしており、その上底ａの寸法が、添装対象とされる垂木２０の上面２１の横幅ｘ（垂木上面２１の長手向きに直交する向きの幅）と一致するように構成してあり、当該上底ａの各端点から下底ｂ間に、該上底ａと下底ｂとに直交する表示線１１，折り線１２、屈曲縁１３等で、前記図示例におけると同様に、添装対象の垂木２０の上面２１に添わされる第一添装部１０ａと、側面２２に添わされる第二添装部１０ｂとを備えて構成してあり、この直角三角形状をなす第二添装部１０ｂにおける斜辺ｃと前記等脚台形状をなす添装体１０における下底ｂであって、前記第一添装部１０ａを構成する下底ｂ’部分を除いた下底ｂ”部分との交点がなす突端を指標部１４として構成すると共に、等脚台形状をなす当該添装体１０における下底ｂの側が屋根勾配の水上側に位置するように添装対象垂木２０に乗せかけた際に、前記指標部１４が、垂木欠き３３の欠き溝壁上縁３３ａの水上側端３３ａ’に位置づけ得るように構成した以外の構成を前記図１〜図１５に示される添装体１０と同一又は実質的に同一の構成とされており、同様にして垂木２０の横架材３０に対する木ねじ４０による止着に用いることができ、同様の効果を得ることができる。
【００７８】
従って、同一又は実質的に同一の構成部分には、同一の番号を付して、その説明を省略する。
【００７９】
この図示例にあっては、欠き溝底面３３ｂ’の傾斜水下側端と傾斜水上側端との二分の一の寸法の間隔を、添装体１０の下底ｂをなす下底ｂ’から上底ａに向けて離した位置に表示部１５を設けるようにしてあり、より具体的には、前記下底ｂから前記間隔を離した位置に当該下底ｂに平行なガイド線１６が設けてあり、かつ、第一添装部１０ａにおける第二添装部１０ｂとの境界をなす表示線１１、１１、折り線１２、１２又は屈曲縁１３、１３に平行で、かつ、これらの中間を通る予備表示線１１’と、当該ガイド線１６との交点が表示部１５としてあり、この交点又は当該交点の近傍から、横架材３０に乗せかけられた垂木２０の上面に対して垂直をなすように木ねじ４０を当該垂木２０を貫通して横架材３０にねじ込むことで、ねじ込まれた木ねじ４０は、前記欠き溝底面３３ｂ’のほぼ中央を通って横架材３０に都合良くねじ込まれ、しかも、この木ねじ４０によって添装体１０が垂木２０に止めつけられ、その第二添装部１０ｂは、これを下方からでも容易に視認でき、垂木２０が横架材３０に止着ｂされていることを確認することができる。
【符号の説明】
【００８０】
１０  添装体
１０ａ  第一添装部
１０ｂ  第二添装部
１１  表示線
１２  折り線
１３  屈曲縁
１４  指標部
１５  表示部
２０  垂木
２１  上面
２２  側面
２３  下面
３０  横架材
３１  上面
３２  側面
３３  垂木欠き
３３ａ  欠き溝壁上縁
３３ａ’  水上側端
３３ａ”  水下側端
３３ｂ’  欠き溝底面
４０  木ねじ
【図１】
0005411719.tif 000002
【図２】
0005411719.tif 000003
【図３】
0005411719.tif 000004
【図４】
0005411719.tif 000005
【図５】
0005411719.tif 000006
【図６】
0005411719.tif 000007
【図７】
0005411719.tif 000008
【図８】
0005411719.tif 000009
【図９】
0005411719.tif 000010
【図１０】
0005411719.tif 000011
【図１１】
0005411719.tif 000012
【図１２】
0005411719.tif 000013
【図１３】
0005411719.tif 000014
【図１４】
0005411719.tif 000015
【図１５】
0005411719.tif 000016
【図１６】
0005411719.tif 000017
【図１７】
0005411719.tif 000018
【図１８】
0005411719.tif 000019
【図１９】
0005411719.tif 000020